(57)【要約】      （修正有）【課題】設置面に対してフレームを傾斜して設置できるようにし、又は容易に吊り下げることのできるフォトフレームを提供する。【解決手段】それぞれ直角に結合された４辺のフレームからなり、フレームの背面にボス螺入孔を設け、該ボス螺入孔に、設置部材に植設されたネジ付ボスを螺入し、又はフック取付け部材に植設されたネジ付ボスを螺入し、設置面に対してフレームを傾斜して設置できるように構成し、又は容易にフックに吊り下げられるように構成したことを特徴とし、設置部材の支持部が、金属製又は樹脂製のネジ付ボスを植設した木片、又はネジ付ボスを一体成形によって植設したプラスチックから構成され、又はフック取付け部材が、ネジ付ボスを一体成形によって植設したプラスチックから構成されたことを特徴とし、フレームの背面に形成されたボス螺入孔が、フレーム背面に対して傾斜して設けられていることを特徴とする。【選択図】図１
0003148271.tif 000002
【実用新案登録請求の範囲】
【請求項１】
それぞれ直角に結合されたた４辺のフレームからなり、フレームの背面にボス螺入孔を設け、該ボス螺入孔に、設置部材に植設されたネジ付ボスを螺入し、又はフック取付け部材に植設されたネジ付ボスを螺入し、設置面に対してフレームを傾斜して設置できるように構成し、又は容易にフックに吊り下げられるように構成したことを特徴とするフォトフレーム。
【請求項２】
設置部材の支持部が、金属製又は樹脂製のネジ付ボスを植設した木片、又はネジ付ボスを一体成形によって植設したプラスチックから構成され、又はフック取付け部材が、ネジ付ボスを一体成形によって植設したプラスチックから構成されたことを特徴とする請求項１記載のフォトフレーム。
【請求項３】
フレームの背面に形成されたボス螺入孔が、フレーム背面に対して傾斜して設けられていることを特徴とする請求項１記載のフォトフレーム。
【請求項４】
複数のボス螺入孔が複数のフレーム背面に設けられ、螺入するネジ付ボスの位置を変えることにより、横向き又は縦向きに設置可能に構成し、又は吊り下げ可能に構成したことを特徴とする請求項１記載のフォトフレーム。
【請求項５】
ボス螺入孔を裏板に設けたことを特徴とする請求項１記載のフォトフレーム。
【考案の詳細な説明】
【技術分野】
【０００１】  本考案はフォトフレームに関し、特にそれぞれ直角に結合されたた４辺のフレームからなり、フレームの背面にボス螺入孔を設け、該螺入孔に設置部材に植設されたネジ付ボスを螺入し、設置面に対してフレームを傾斜して設置できるようにし、又は容易に吊り下げることのできるフォトフレームに関するものである。
【背景技術】
【０００２】  一般的に、フォトフレームに関する発明や考案は数多く提案されており、最近の引用公報としては、例えば特開２００８−１６８０４０号公報を挙げることができる。【０００３】  特開２００８−１６８０４０号公報の内容ではフォトフレームを机上に設置する場合でも壁のフックに引掛けた場合でも横方向又は縦方向に設置できることが開示されている。【０００４】
【特許文献１】  特開２００８−１６８０４０号公報
【考案の開示】
【考案が解決しようとする課題】
【０００５】  引用文献１の特開２００８−１６８０４０号公報では、フォトフレームを机上に設置する場合でも壁のフックに引掛けた場合でも横方向又は縦方向に設置できることが開示されているが、表板および裏板の四隅を貫通する貫通孔に表面よりボルトが挿入され、裏板側のナットに螺合されている。【０００６】  そして長尺ナットの先端に弾性ゴム部材が嵌着されており、更に裏板にフック受部材が付設されており、部品数が多く、これらの部品の装着作業性にも手間がかかるという問題があった。【０００７】  また、展示物のセッティング修正や取替え時においては、その都度、四隅のボルト及びナットを取り外さなければならず、ボルトの頭もフレームの四隅の表面に露出しているので、これらの作業中にフレームを損傷し易いものであった。【０００８】  また、吊り下げ用のフック受け部材は部品数が多く、吊り下げ用のフック受け部材の取付け個所は裏板であって強度上も問題があった。
【課題を解決するための手段】
【０００９】  このような課題を解決するために鋭意研究の結果、創案された本考案のフォトフレームは、それぞれ直角に結合されたた４辺のフレームからなり、フレームの背面にボス螺入孔を設け、該ボス螺入孔に、設置部材に植設されたネジ付ボスを螺入し、又はフック取付け部材に植設されたネジ付ボスを螺入し、設置面に対してフレームを傾斜して設置できるように構成し、又は容易にフックに吊り下げられるように構成したことを特徴とし、設置部材の支持部が、金属製又は樹脂製のネジ付ボスを植設した木片、又はネジ付ボスを一体成形によって植設したプラスチックから構成され、又はフック取付け部材が、ネジ付ボスを一体成形によって植設したプラスチックから構成されたことを特徴とし、フレームの背面に形成されたボス螺入孔が、フレーム背面に対して傾斜して設けられていることを特徴とし、複数のボス螺入孔が複数のフレーム背面に設けられ、螺入するネジ付ボスの位置を変えることにより、横向き又は縦向きに設置可能に構成し、又は吊り下げ可能に構成したことを特徴とし、ボス螺入孔を裏板に設けたことを特徴とフォトフレームを提供する。
【考案の効果】
【００１０】  以上説明したような本考案のフォトフレームでは、極めて簡単な構成により、ボス螺入孔に螺入するネジ付ボスの位置を変えることにより、フォトフレームを横向き又は縦向きに設置可能になり、またネジ付ボスをボス螺入孔に螺入するものであるから、従来のようにボスが滑らかな突起ではないので外れにくく安心して机上等に載置できるものである。また、部品数が少なく極めて簡単な構造のフック取付け部材によって容易にフックに取付けることができるものである。
【考案を実施するための最良の形態】
【００１１】  以下、図面に基づいて、本考案を実施するための最良の形態を具体的に説明する。
図面に於いて、図１は本考案に係るフォトフレームの背面から見た分解斜視図である。
図２は本考案に係るフォトフレームの背面から見た組立て部分斜視図である。図３は本考案に係るフォトフレームの組立て部分側面図である。図４はフック受け部材の正面図である。図５はフック受け部材の側面図である。図６はフック受け部材の背面図である。図７はフック受け部材の取付け説明図である。図８はフック受け部材の取付け断面図である。【００１２】  本考案のフォトフレームは、図１に示すようにそれぞれ直角に結合されたた４辺のフレーム１からなり、フレーム１の背面にボス螺入孔２がフレーム背面１１に対して傾斜して設けられており、該ボス螺入孔２に設置部材６の支持部６１に植設されたネジ付ボス６２を螺入し、図２乃至図３に示すように、設置面７に対してフレーム１を角度θだけ傾斜して設置できるように構成されている。【００１３】  設置部材６の支持部６１が、金属性のネジ付ボス６２を植設した木片、又は金属性のネジ付ボス６２を一体成形によって植設したプラスチックから構成することができる。【００１４】  図３で明らかなように、フレーム１の背面に形成されたボス螺入孔２は、フレーム背面に対して傾斜して設けられている。【００１５】  図１ではフレームを横方向に設置した場合の実施例を示しているが、ボス螺入孔２が複数のフレーム背面に設けられているので、螺入するネジ付ボス６２の位置を変えることにより、横向き又は縦向きに設置可能に構成されている。【００１６】  また、フレーム１の幅が極めて細い場合又はフレームが無いタイプの場合には、ボス螺入孔を裏板５に設けることもできる。【００１７】  螺入される金属性のネジ付ボス６２は、ボス螺入孔２に強固に螺入されるので、従来のようにボスが滑らかな突起ではないので、外れにくく安心して机上等に載置できるものである。【００１８】  展示物のセッティング修正や取替え時においては、引用文献の先願内容ではその都度、四隅のボルト及びナットを取り外さなければならず、ボルトの頭もフレームの四隅の表面に露出していているので、これらの作業中にフレームを損傷し易いものであったが、本考案のフォトフレームでは、このような煩わしさはない。【００１９】  本考案は極めて簡単な構成により、ボス螺入孔に螺入するネジ付ボスの位置を変えることにより、フォトフレームを横向き又は縦向きに設置可能になり、またネジ付ボスをボス螺入孔に螺入するものであるから、従来のようにボスが滑らかな突起ではないので外れにくく安心して机上等に載置できるものであり、利用し易いものである。【００２０】  更に、簡単な構造のフック取付け部材の利用により、吊り下げる場合でも容易に吊り下げることができる。【００２１】  以下、フック取付け部材の構造について、具体的に説明する。
図４乃至図６に示すように、フック取付け部材８は、樹脂製の前面部８１と背面部８２とが連結されている中間に開口部８３が設けられており、前面部に金属製又は樹脂製のネジ付きボス６２が一体成形によって植設されている。【００２２】  フック取付け部材８をフレーム背面１１に取り付ける場合、図７に示すようにフレーム背面１１に設けられたボス螺入孔２に、フック取付け部材８に植設されたネジ付ボス６２を螺入する。【００２３】  図８に示すように、壁９に固定されたフック１０が開口部８３に挿入されるように掛けるとフレーム１は容易に壁に沿って吊り下げることができる。【００２４】  また、螺入するネジ付ボス６２の位置を変えることにより、横向き又は縦向きに吊り下げることができる。【００２５】  なお、本考案をフォトフレームとして説明してあるが、同様の構造によって他の大型の絵画等の額縁に応用することもできる。
【図面の簡単な説明】
【００２６】
【図１】  本考案に係るフォトフレームの背面から見た分解斜視図である。
【図２】  本考案に係るフォトフレームの背面から見た組立て部分斜視図である。
【図３】  本考案に係るフォトフレームの組立て部分側面図である。
【図４】  フック受け部材の正面図である。
【図５】  フック受け部材の側面図である。
【図６】  フック受け部材の背面図である。
【図７】  フック受け部材の取付け説明図である。
【図８】  フック受け部材の取付け断面図である。
【符号の説明】
【００２７】  １    フレーム
１１    フレーム背面
２    ボス螺入孔
３    吊り下げ用金具
４    留め具
５    裏板
６    設置部材
６１    支持部
６２    ネジ付ボス
６３    植設部
７    設置面
θ    設置角度
８    フック取付け部材
８１    前面部
８２    背面部
８３    開口部
９    壁
１０    フック
【図１】
0003148271.tif 000003
【図２】
0003148271.tif 000004
【図３】
0003148271.tif 000005
【図４】
0003148271.tif 000006
【図５】
0003148271.tif 000007
【図６】
0003148271.tif 000008
【図７】
0003148271.tif 000009
【図８】
0003148271.tif 000010